(57)【特許請求の範囲】
【請求項１】
非耐火構造の建造物におけるバルコニー、ベランダ等の防水層保護構造であって、下地面に設置した断熱層と、この断熱層上に固設した支持層と、支持層上に敷設される防水層と、この防水層の全面にわたり張設され柔軟性を有しかつ軽量で加工容易な不燃保護層とからなり、前記不燃保護層は、底面無機質層と、表面不燃材層と、前記底面無機質層および前記表面不燃材層とを連結する柔軟性介在層とを具え、前記柔軟性介在層は芯材部とその両面に塗覆した無機質部により構成し、前記芯材部はガラス繊維不織布とこれを包括するガラス繊維メッシュ材で形成され、前記無機質部は樹脂材で固定される無機質片で形成される一方、前記表面不燃材層は柔軟性介在層における前記無機質部を構成する樹脂材に把持固着させた鉱物性砂により構成するとともに、前記底面無機質層は無機質系材の粉粒で形成して柔軟性、軽量性、加工容易性を具備させ、さらに、下地面と前記断熱層との間には通気手段を介装した防水層保護構造において、前記断熱層は不燃材層表面に水勾配を確保して雨水等が速やかに流れるように所定の傾斜角度を有し、通気手段はポリスチレン板の下面に１８ｍｍ間隔で２ｍｍ×２ｍｍのストライプ状の溝が形成されており、３，７１５ｃｍ3 ／分の通気量を確保できるようにしたことを特徴とする防水層保護構造。
【請求項２】
請求項１記載の防水層保護構造において、  前記前記不燃保護層は厚さを2.7mmに形成して重量を５Ｋｇ／平方メートルとなすとともに、防水層はアスファルト系シートとこれに塗布したＦＲＰ層からなる複合防水層で構成し、さらに防水層と断熱層との間に介装される支持層を防腐処理合板で形成しこれらを一体化して重量物の落下等の外力による損傷を有効に防止するようにしたことを特徴とする防水層保護構造。
【発明の詳細な説明】
【０００１】
【発明の属する技術分野】
本願発明は、雨水その他の水等を流下・排出させる床面である水勾配面、例えば、一戸建て住宅等のベランダ、ルフバルコニー等の防水床面の保護構造、詳しくは前記床面の保護と不燃化の機能を併せ有する防水層保護構造に関するものである。
【０００２】
【従来の技術】
近年、一戸建て住宅等において、ベランダ、バルコニー等の下部空間を有効に利用するため居室その他を形成する例が多いが、この場合、降雨等の対策として防水処理が必要となり、下地面に防水層を形成しなければならない。この防水層には外気に晒されること等に起因する劣化防止のための耐候手段、ベランダ等の床面での歩行その他の活動に耐える等の目的で保護層の形成が必要である。一方、建築基準法によると屋根構造は通常の火災を想定した火の粉による建築物の火災を防止するために必要とされる性能に関して技術的基準に適合しなければならないと法で規定されている。したがって、木造建築物のベランダ、バルコニー等も火災時の飛び火を防止する措置を講ずることが義務づけられている。このため、従来は前記防水層の保護層を（１）モルタル又はコンクリ−トの現場打ちにより形成する措置、（２）コンクリ−ト等の不燃材による成形板の敷設により形成する措置等がなされているのが実情である。
【０００３】
【発明が解決しようとする課題】
しかしながら、上記従来技術のうち、前記（１）にあっては、次のような問題が生じている。すなわち、
（イ）  モルタル、コンクリ−トの防水層上面への打ち込みは現場でなすことになるから、保護層としてのモルタル層あるいはコンクリ−ト層の厚みを均一に形成する必要があり、再現性が得られにくく、ユ−ザ−の描くイメ−ジと異なってしまう場合がある。また、作業が煩雑となり原価コストも増大する。
（ロ）モルタル層あるいはコンクリ−ト層が所定の強度を得るには一定期間の養生が必要であり、これは天候に左右されることが多く、完工までに時間を要する。
（ハ）モルタル層あるいはコンクリ−ト層は、耐火層ならびに防水層の保護層として要求される機能を保持し、かつ、それらの材料の持つ特性からくる収縮や曲げ剪断等の強度不足による割れや亀裂を防止するには、当然、所定の厚みが必要となる。このため、従来のこの種の保護層は、一般的に約４５〜６０Kg/m2 の重量を有することとなり構造体の歪みを生じさせてしまう等建物に大きな負担を掛けてしまう。  また、上記従来技術のうち、前記（２）にあっては、次のような問題が生じている。すなわち、
（ニ）コンクリ−ト成形板等の単位重量は、約５０Kg/m2 にも達し、施工時に作業者は荷揚げ、設置等において過大な負担を強いられ、かつ建物の重量負担も大きい。
（ホ）コンクリ−ト成形板等は柔軟性に欠けるため、下地部である防水層の不陸部、段差部等における処理が容易でなく、施工後もこれらの箇所においていわゆる「がた」が生じ易い。これを解決するためには、不陸段差の緩衝を目的としてゴム、プラスチック類を索材とする発泡マット等を成形板と防水層の間に配する必要がある。
しかしながら、この緩衝層の配設は、一方では材料費のコストアップや、緩衝層と成形板または防水層との間に生じる隙間に雨水が溜り、藻、苔等の発生して美観を損ねるという不都合をも伴う。
（ヘ）ドレ−ン孔周辺、防水層の立ち上がり部等の複雑箇所での施工が難しいことに加え、これら箇所では隙間が生じ易く、適宜の不燃材による充填作業が必要となる。さらに、現場打ちコンクリ−ト、コンクリ−ト成形板による施工にあっては、作業性および美観に係る次のような問題点も指摘せざるを得ない。すなわち、現今の住宅は高層化がすすみ、施工現場が高所になるケ−スが多く、前記いずれの材料も重量が大きく必要箇所への搬送・吊り上げ等が危険を伴う過酷な重作業とならざるを得ない。そして、このような作業には、必然的にレッカ、クレ−ン等の重機を使用することになるが、周知のように建造物が密集した都市部にあってはこれら重機の使用は極めて制約を受けざるを得ないのが現状である。
一方美観に関しては、現場打ちコンクリ−トによる場合は、温度の昇降による伸縮に起因する動きに対する緩衝の目的で目地部を設ける必要があるが、この目地部には、時間の経過とともに汚れが付着して藻、苔等が発生して美観を著しく損ねることが多い。また、コンクリ−ト成形板による場合も、板体間の目地部や、ガタツキを抑止するために成形板の下部に配設される緩衝層（ゴム、プラスチックの発泡体）と成形板または防水層との間に溜る雨水により、藻、苔等が発生しやすくなり美観上の問題を呈する。さらに、重量物落下により割れ欠損が生じた場合、その補修は当該部分を撤去して、新しい材料を施工する必要がある。
したがって、軽量かつ柔軟性を有し、施工が複雑な部位でも容易に切断加工できる不燃部材が防水層保護材として望ましい。 さらに好ましくは、ベランダ、バルコニーは居室の前面に配置されるため、照り返しのまぶしさがなく、降雨のその他の水濡れにも滑りにくい材料であることが望ましい。しかしながら、不燃保護層をこのような柔軟性部材で構成する場合、次のような不都合が生じる。すなわち、（１）椅子、机等を保護層に載置した場合、脚部等に荷重が集中して防水層やこの下部に設置される断熱層にへこみが生じたり、あるいは重量物を落下させてしまった場合、相当の損傷を防水層やこの下部に設置される断熱層に生じるおそれがある。
（２）さらに、防水層の表面に不陸部が生じている場合、この上に設置される不燃保護層は柔軟性を有するが故に、不燃保護層自体の表面にも防水層の不陸に倣った不陸部が生じる。このような不陸部により不燃保護層自体の表面には凹凸部分が発生し水溜りが出来やすいという不都合があるばかりか、美観をも損ねることになる。
【０００４】
【課題を解決するための手段】
本願発明は、非耐火構造の建造物におけるバルコニー、ベランダ等の防水層保護構造であって、下地面に設置した断熱層と、この断熱層上に固設した支持層と、支持層上に敷設される防水層と、この防水層の全面にわたり張設され柔軟性を有しかつ軽量で加工容易な不燃保護層とからなり、前記不燃保護層は、底面無機質層と、表面不燃材層と、前記底面無機質層および前記表面不燃材層とを連結する柔軟性介在層とを具え、前記柔軟性介在層は芯材部とその両面に塗覆した無機質部により構成し、前記芯材部はガラス繊維不織布とこれを包括するガラス繊維メッシュ材で形成され、前記無機質部は樹脂材で固定される無機質片で形成される一方、前記表面不燃材層は柔軟性介在層における前記無機質部を構成する樹脂材に把持固着させた鉱物性砂により構成するとともに、前記底面無機質層は無機質系材の粉粒で形成して柔軟性、軽量性、加工容易性を具備させ、さらに、下地面と前記断熱層との間には通気手段を介装した防水層保護構造において、前記断熱層は不燃材層表面に水勾配を確保して雨水等が速やかに流れるように所定の傾斜角度を有し、通気手段はポリスチレン板の下面に１８ｍｍ間隔で２ｍｍ×２ｍｍのストライプ状の溝が形成されており、３，７１５ｃｍ3 ／分の通気量を確保できるように構成して、上記従来の課題を解決しようとするものである。  このような構成により、本願防水層保護構造において不燃保護層は、柔軟性、軽量性、加工容易性を実現でき、は防水層の不陸部への追従性に優れる。そして、軽歩行可能も可能になる。
【０００５】
また、上記の防水層保護構造において、前記不燃保護層は厚さを2.7mmに形成して重量を５Ｋｇ／平方メートルとなすとともに、防水層はアスファルト系シートとこれに塗布したＦＲＰ層からなる複合防水層で構成し、さらに防水層と断熱層との間に介装される支持層を防腐処理合板で形成し、これらを一体化して重量物の落下等の外力による損傷を有効に防止するように構成することがある。    上記通気量は、通常ふくれを生じない通気量である１７０ｃｍ３／min.をはるかに上回る効果を奏する。
【０００６】
【発明の実施形態】
図面に基づいて本願発明の実施形態を説明する。図１は、本願に係る防水層保護構造の１実施形態を示す断面図である。図において、１は不燃保護層、２は防水層、３は支持層、４は断熱層、５はベランダ等の床面である下地合板、６は通気手段である。
なお、１ａは不燃保護層１と防水層２を接合する接着剤層である。以下、各部材とその関連構成を説明する。
【０００７】
不燃保護層１は、図２に示すように表面不燃材層１１と、底面無機質層１５および前記表面不燃材層とを連結する柔軟性介在層１４とからなっていて、この柔軟性介在層１４は芯材部１２とこの芯材部１２の両面に塗覆した無機質部１３、１３とで構成されている。
【０００８】
この実施形態で、前記表面不燃材層１１は、前記柔軟性介在層１４上に積層固定された鉱物砂で形成されている。一方、柔軟性介在層１４は、芯材部１２とこの芯材部１２の両面に塗覆した無機質部１３、１３とで構成されているが、この実施形態で芯材部１２はガラス繊維不織布とこれを包括するガラス繊維メッシュ材で形成されており、この芯材部１２の両面には無機質部１３、１３が塗覆されている。そして、無機質部１３は樹脂材で固定された無機質片で形成されている。また、前記底面無機質層１５は、無機質系材の粉粒で形成されている。
【０００９】
この実施形態では、前記不燃保護層１の各層、すなわち底面無機質層１５、表面不燃材層１１、底面無機質層１５と表面不燃材層１１とを連結する柔軟性介在層１４は、順次積層固着されて一体となった単一部材として不燃保護層１を構成しており、全体として柔軟性を具備し、容易に切断が可能で複雑箇所への施工性も良好である。
【００１０】
防水層２は、アスファルト系シ−トとこれに塗布した不飽和ポリエステル等の樹脂によるＦＲＰ層からなる複合防水層で構成されている。そして、この防水層２の表面に前述の接着剤層１ａにより前記不燃保護層１が張設されている。
【００１１】
支持層３は、本実施形態では防腐処理を施した合板を使用している。この合板３は、へこみ試験、衝撃試験の結果および施工現場での運搬、加工性を考慮して５．５ｍｍ厚のものを使用している。この支持層は、不燃保護層１の柔軟性に起因して発生しがちな外力の作用による損傷防止の目的を有するから所定の剛性を有しかつ加工性が容易な部材であれば材種を問わない。
【００１２】
前記支持層３の下面に位置する断熱層４は、ポリスチレン等周知の材によるので、本実施形態では所定の傾斜角度、すなわち不燃保護層１表面を雨水等が速やかに流れるように１０／９１０の勾配を有するものを使用して水勾配の万全を期するようになっている。
【００１３】
前述のように、ベランダ等の下地面である下地合板５と前記断熱層４との間には、通気手段６が介装されている。 すなわち、ベランダ等の下部には居室そのたの生活空間が設けられていることが多く、ここから下地合板５を通して発生する水蒸気の処理をなす必要があり、このために通気手段６が設けられている。該実施形態では、通気手段として裏面に通気溝を多数形成してなる樹脂板を使用している。
すなわち、ポリスチレン板の下面に１８ｍｍ間隔で２ｍｍ×２ｍｍのストライプ状の溝が形成されており、３，７１５ｃｍ3 ／分の通気量を確保できる。 下地面より拡散した水蒸気はこの通気手段６を介して捕捉されて周知の脱気装置に導入されて大気中に放散される。なお、当該実施形態では、通気手段６は下地合板５と断熱層４との間に設定したが、防水層２より下部であればこの位置に限定されないことはいうまでもない。
【００１４】
図３は、上記構成になる保護層構造のベランダ部分における適用を示す一部切欠斜視図である。この実施形態において、不燃保護層１は、厚さ2.7mm の所定単位寸法を有する方形状に形成された単位片に成形されたものを使用している。不燃保護層１は、上述の構成になり柔軟性を有して容易にカットできるので、防水層２の不陸部分等の不整合箇所に対する追従性に優れかつドレ−ン孔周辺での敷設も極めて緻密・美麗に施工が可能である。なお、不燃保護層１を上記の構成とすることにより、その重量は約5Kg/m2と、従来のコンクリ−ト成形板等に比較して１／１０となっており、構造体への負担は著しく軽減されている。
この不燃保護層１は柔軟性を有していて剛性に欠けるから、これを補うために支持層３としての防腐処理合板が設置される必要のあることは前述した。
【００１５】
ところで、本願に係る不燃保護層１は前述のように、芯材部１２とこの芯材部１２の両面に塗覆した無機質部１３、１３とで構成される柔軟性介在層１４の表面に固着された鉱物性砂の層による表面不燃材層１１有しており、前記鉱物性砂は前記無機質部１３における樹脂材により把持固着されているから、不燃保護層１上における通常の歩行、あるいは軽作業に伴う振動や衝撃は芯材部１２、無機質部１３において吸収されかつ表面不燃材層１１が簡単に剥離してしまうおそれはない。
【００１６】
なお、図３において、不燃保護層１は単位片に成形したものを張設したが、ロ−ル状に形成したものを敷設しても良い。また、実際の施工にあたっては上述の構成になる不燃保護層資材は、法の規定による不燃材としての指定を得たものを使用することになるが、その一例として、特許第９０８５１１号に開示のもの、具体的には名称を「三星フネンシングル」（田島ル−フィング株式会社所有商標）として知られ、建設省不燃認定・不燃［個］第１５５２号に係るものを使用することが可能である。
【００１７】
本願発明に係る不燃保護層構造は、図３に示すように、下地合板５の上に、通気手段６、断熱層４、支持手段３、防水層２を順次積層形成し、防水層２の表面全面にわたり不燃保護層１を張設することにより形成するが、本実施形態に係る施工作業における特色を若干説明する。
【００１８】
図４は、断熱層４上の支持層（防腐処理合板）３の表面に防水層２を形成する手順を示す斜視図である。図において２ａ、２ａは１．６ｍｍ厚を有する定尺寸法のアスファルト系シ−トで、このアスファルト系シ−ト２ａ，２ａは互いの端縁部を突き合わせるようにして張設される。この突き合わせ部は図において符号Ｅで表されている。
作業手順としてはまず、支持層（防腐処理合板）３において突き合わせ部Ｅが生じる該当箇所に樹脂フィルムと粘着材で構成される２００ｍｍ幅の防水接着テ−プＡを、接合部での水密性確保のために突き合わせ部Ｅの長さに対応して接着する。前記テ−プＡを所要箇所に張り終えた後、アスファルト系シ−ト２ａを順次設置する。
次いで、アスファルト系シ−ト２ａ、２ａの突き合わせ部Ｅの目張りとして樹脂フィルムと粘着材で構成される１００ｍｍ幅の防水接着テ−プＢを接着する。これは、ＦＲＰ防水処理施工時に、不飽和ポリエステル等の樹脂の流入を防止するためである。ところで、上述のようにテ−プＡとＢの幅を異なるようにしたのは、テ−プによる不陸部の重なり合いを防止するためである。
すなわち、テ−プの張設は、通常は無視できる若干の不陸を生じるが、テ−プＡとＢの幅を同一にすると不陸部の重なり合いが生じ、支障を生じるおそれがあるからである。以上の工程の後、ＦＲＰ防水処理をアスファルト系シ−ト２ａ，２ａ表面に施工することになる。
したがって、テ−プＢの表面には不飽和ポリエステルと容易に接着するための処理を施しておくのが望ましい。なお、本実施形態で、テ−プＡ、Ｂの厚さはそれぞれ０．６ｍｍ、０．２５ｍｍとなし接合部での段差を極力少なくしている。
【００１９】
図５は、支持層（防腐処理合板）３の固定処理を示す断面図である。この実施形態で、支持層（防腐処理合板）３は、下地合板５に固定されている。 すなわち、デイスク状の固定金具Ｄを介してビスＣにより支持層（防腐処理合板）３を下地合板５に係止する構成となっている。固定金具Ｄの突出を防止するため防腐処理合板３上には、施工時に固定金具Ｄを埋設できる孔部Ｄ２が形成される。
【００２０】
【発明の効果】
以上説明したように、本願発明は、非耐火構造の建造物におけるバルコニー、ベランダ等の防水層保護構造において、保護層の形成に軽量で柔軟性があり、かつ容易に加工できる不燃保護材を使用したので、従来の防水層保護材に比較して取り扱いが極めて容易になり、建物に過大な重量負担をかけることのなくしかも耐火性能に優れた防水層保護層を低廉なコストで実現できる。また、防水層と断熱層の間に支持層を設けこれらを一体化することにより、重量物の落下等の外力による防水層および断熱層の損傷を有効に防止することができる。
さらに、通気手段を設けたことにより、水蒸気の蒸散による防水層の膨れを適正に防止し防水構造の耐久性を向上させるに止まらず、木構造体の腐朽を防止することにより構造体の耐久性を向上させることができる。さらにまた、施工現場が高所になっても、現場打ちコンクリ−ト、コンクリ−ト成形板による場合に比較して、材料の搬送・吊り上げ等が容易であり、都市部における建造物の密集地にあってもレッカ−、クレ−ン等の重機の使用も不要であり、危険を伴う過酷な重作業は必要とされず、工期も短縮できる。また、目地部の汚れ、あるいは目地部その他における藻、苔等の発生等美観を損ねる畏れもない。
【図面の簡単な説明】
【図１】本願に係る防水層保護構造の１実施形態を示す一部切欠断面図である。
【図２】図１における不燃材層の基本構成を示す斜視図である。
【図３】施工例を示す斜視図である。
【図４】断熱層４上の支持層（防腐処理合板）３の表面に防水層２を形成する手順を示す斜視図である。
【図５】支持層（防腐処理合板）３の固定処理を示す断面図である。
【符号の説明】
１．．．不燃保護層、
２．．．防水層、
３．．．支持層（防腐処理合板）
４．．．断熱層、
５．．．下地部
６．．．通気手段
１１．．表面不燃材層（鉱物性砂）
１２．．芯材部（ガラス繊維不織布、樹脂）
１３．．無機質部
１４．．柔軟性介在層
１５．．底面無機質層
【図１】
0004238952.tif 000002
【図２】
0004238952.tif 000003
【図３】
0004238952.tif 000004
【図４】
0004238952.tif 000005
【図５】
0004238952.tif 000006